(57)【特許請求の範囲】
【請求項１】
Webページ上に表示された画像の中から、ユーザから受付けた複数の画像を、１枚の印刷用紙を構成する区画片に印刷した状態で袋に封入されて配送されるとともに、上記画像が印刷された区画片を印刷用紙から取り外して、その区画片の背帯側の端部を束ねることで冊子を作成することができる印刷用紙であって、
上記印刷用紙は、当該印刷用紙から切り出し可能に区画された複数の区画片と、当該区画片を囲う枠片とからなり、
上記区画片の周縁の背帯側の端部には、断続的に切り抜いたミシン目状に形成されることで枠片から切り取り可能に連設された連設部が形成されるとともに、上記区画片の背帯側の端部以外の端部であって、冊子に組み立てられた状態で開放されている端部は、上記印刷用紙から切り抜かれた切断部が形成されており、
上記連設部により複数の区画片が枠片とつながることで、１枚の用紙の状態で上記袋に封入されると共に、上記冊子を作成する際には、上記袋から取り出した状態で、上記連設部を切り離してその端部を束ねることで冊子が形成される、
ことを特徴とする冊子用の印刷用紙。
【請求項２】
上記印刷用紙は、透明なビニール袋に封入されて配送されるものであって、
上記用紙を等分する位置に用紙を折りたたむための折り曲げ線が形成され、
上記折り曲げ線を中心として左右対称に配置され、
上記折り曲げ線に沿って用紙を折り曲げた際に、表面に現れる上記各区画片の表面側には広告が印刷されており、上記折り重なる内側には上記ユーザにより選択された画像が印刷される、
請求項１記載の冊子用の印刷用紙。
【請求項３】
上記区画片には、上記印刷用紙から切り出した複数の区画片を結束するための切欠部が上記区画片の端部近傍に設けられている、
請求項１又は２記載の冊子用の印刷用紙。
【発明の詳細な説明】
【技術分野】
【０００１】
本発明は、画像データが印刷可能であると共に、所定サイズに区画された区画片を切り出し可能な印刷用紙であって、当該区画片をまとめて冊子とすることができるものに関する。
【背景技術】
【０００２】
近年、デジタルカメラが広く一般に普及してきたのに伴って、写真を印刷するサービスも充実してきた。いわゆるＤＰＥ店に限らず、コンビニエンスストアや家電量販店等に設定された印刷機で容易に写真を得ることができるし、画像データによるアルバム作成などのサービスも広く行われている。
【０００３】
一方で、デジタルカメラがネガを要しないことや、ウェブログ等に画像データをアップロードするために写真を撮るなど、楽しみ方が多様化したことで、撮影が手軽に行われるようになった反面、撮影枚数が多くなり、専門店等でそれらの画像を全て写真にするには料金がかさんでしまう。そこで、プリントする写真にスポンサー企業の広告を挿入することで、撮影画像を無料で写真としてプリントするサービスなども提供されている。
【０００４】
このような背景の下、画像データを印刷するための用紙も種々提案されている。
例えば、特許文献１では、表面に第一の情報が全体的に記載され、裏面に第二の情報が区分けして記載されると共に、表紙が取り付けられた折り畳み自在な長方形のシート材からなり、該シート材を折り畳むと小冊子を形成して各ページに上記第二の情報が表示される折り畳みシートが提案されている。
また、特許文献２では、紙面を所定の印刷装置により印刷可能な用紙サイズの領域に区画すると共に容易に切断可能な第一の切断線と、この第一の切断線によって区画された領域の周縁を略枠状に区画すると共に容易に切断可能な第二の切断線とを具備する印刷用紙が提案されている。
また、特許文献３では、長手帯状からなると共に、長手方向に並んだ複数の印刷領域を有し、各印刷領域の境界で折り曲げることにより、粘着層が形成された各印刷領域の裏面同士を貼り合わせて冊子とすることができる印刷用紙が提案されている。
また、特許文献４では、複数の印刷領域を有し、各印刷領域の境界に山折り線と谷折り線とが交互に設けられ、所定の切り込みを入れた上で、当該折り線に従って折り曲げると共に、裏面を接着させることで、冊子とされる印刷用紙が提案されている。
また、特許文献５では、ミシン目によって区画された複数の同形状の区画片に画像が印刷されると共に、折り曲げを示す折り曲げ指標と、切り取りを示す切り取り指標とが設けられ、当該指標に従って折り曲げ、及び切り取りをすることで冊子となる印刷用紙が提案されている。
【０００５】
【特許文献１】特開平６−３２８８８１号公報
【特許文献２】特開２０００−２１８８８７号公報
【特許文献３】特開２００５−１３２００７号公報
【特許文献４】特許第３８５１８９０号
【特許文献５】特開２００５−１６１６５６号公報
【発明の開示】
【発明が解決しようとする課題】
【０００６】
しかしながら、上記特許文献１では、冊子を作る場合に、所定の工程に従ってシートを折り畳む必要があるところ、全工程を間違わずに折り畳むのは面倒であった。
また、上記特許文献２では、そもそも冊子にするという着想がないため、いちいち印刷用紙から各画像が印刷された領域を個別に切り取らなくてはならず不便であった。
また、特許文献３及び４では、長手帯状の印刷用紙を所定の境界線ごとに交互に折り曲げていって冊子を作るため、折り曲げ部分が厚みを持ってしまうと共に、印刷された各領域を自分の好きな順序にできないという問題があった。
また、特許文献５では、印刷用紙上に折り曲げ指標や切り取り指標が設けられているだけで、当該指標に従って、四角形状に形成された各印刷領域の四方全てを折り曲げ、ないしは切り取りしなければ冊子にできず面倒であった。
【０００７】
そこで、本発明は、複数の印刷領域を有し、各印刷領域を容易に切り離して冊子とすることができる印刷用紙を提供することを目的とする。
【課題を解決するための手段】
【０００８】
上記目的を達成するため、本発明に係る印刷用紙は、所定の印刷装置により文字及び／又は画像が印刷され、印刷用紙を構成する区画片を組み合わせることで冊子を作成することができる印刷用紙であって、上記印刷用紙は、当該印刷用紙から切り出し可能に区画された複数の区画片と、当該区画片を囲う枠片とからなり、上記区画片の周縁は、上記枠片と容易に切り取り可能に連設された連設部と、上記印刷用紙から切り抜かれた切断部とからなることを特徴とする。
【０００９】
また、上記区画片は、同一形状からなるものとしてもよい。
【００１０】
また、上記連設部は、断続的に切り抜いたミシン目状に形成されているものとしてもよい。
【００１１】
また、上記区画片には、上記印刷用紙から切り出した複数の区画片を結束するための切欠部が設けられているものとしてもよい。
【００１２】
また、上記切欠部は、上記区画片の端部近傍に設けられているものとしてもよい。
【００１３】
また、上記印刷用紙には、当該印刷用紙を同形状に等分する折曲線が設けられているものとしてもよい。
【００１４】
また、上記区画片は矩形形状からなると共に、縦横に整列配置され、上記区画片の周縁の一辺が上記連設部を構成すると共に、他の三辺が切断部を構成し、上記区画片は、一の区画片において上記連設部を構成する辺の対辺が、他の区画片において上記連設部を構成する辺の対辺と隣接するものとしてもよい。
【発明の効果】
【００１５】
本発明によれば、複数の画像が印刷された印刷用紙から、当該画像が印刷された領域を容易に個別に切り離して冊子とすることができる。
【発明を実施するための最良の形態】
【００１６】
本発明の実施の形態に係る印刷用紙について図を参照して説明する。
図１に示すように、本実施形態に係る印刷用紙１は、矩形形状からなり、サイズの一例はＡ３サイズ（４２０ｍｍ×２９７ｍｍ）である。印刷用紙１は、表面１ａ及び裏面１ｂ共に、画像を印刷可能な印画紙や感熱紙等として構成されている。
【００１７】
この印刷用紙１には、印刷用紙１の長手の２辺の中心を結ぶ線分上に、印刷用紙１をＡ４サイズ（２９７ｍｍ×２１０ｍｍ）に折り畳むための折り曲げ線が、表面１ａでは折り曲げ谷線１２ａとして、裏面１ｂでは折り曲げ山線１２ｂとして設けられている。
なお、折り曲げ谷線１２ａ及び折り曲げ山線１２ｂは、押し圧による折線であってもよい。
【００１８】
また、図１及び図２に示すように、印刷用紙１は、表面１ａ及び裏面１ｂ夫々において、画像を印刷するための計２０個の印刷領域１０と、各印刷領域１０の間の枠領域１１とから構成されている。さらに、印刷領域１０は、折り曲げ谷線１２ａないしは折り曲げ山線１２ｂを挟んで対称な半分の面夫々において、縦に４列、横に２列、整列して設けられている。
【００１９】
印刷領域１０は、所定の箇所に切欠部１０ａが設けられた矩形形状からなり、その周縁は、実線で示される箇所において印刷用紙１から切り抜かれて枠領域１１と分離しており、一方、破線で示される箇所において印刷用紙１からミシン目状に断続的に切り抜かれて枠領域１１と連設した状態となっている（以下において、切り抜かれている実線部分を切り抜き線２１、ミシン目状に切り抜かれている破線部分をミシン目線２２という）。
なお、ミシン目線１２は、マイクロミシン目や押し圧に折り線等とすることもできる。
また、切欠部１０ａは、ミシン目線１２近傍において、印刷領域１０の周縁の二つの長辺部分に、対辺と対称に１箇所ずつ僅かに内側に切り欠いて設けられている。
【００２０】
枠領域１１は、印刷領域１０の周縁を隙間なく囲うと共に、印刷領域１０とミシン目線２２を解して連設している。
以上のような印刷用紙１において、印刷領域１０と枠領域１１は、例えば、１枚の矩形状の用紙において、切り抜き線２１及びミシン目線２２に沿って用紙を裁断して作成することができる。
【００２１】
また、図２に示すようにして、印刷領域１０をミシン目線１２で折り曲げて起立させた上、ミシン目線２２に沿ってミシン目部分を切り離すことで、印刷領域１０を枠領域１１と切り離すことができる。この際、切り離す部分がミシン目であることから、容易にきれいに切り離すことができる。
枠領域１１と切り離すことにより、印刷用紙１から切り出された印刷領域１０を図３に示す。印刷用紙１から切り出された印刷領域１０は、ミシン目線２２以外の部分が予め切り抜き線２１に沿って切り抜かれていることから、周縁をきれいなものとすることができる。
【００２２】
続いて、印刷用紙１から切り出した複数の印刷領域１０を、ひとまとまりの冊子とする方法について説明する。
まず、印刷用紙１から印刷領域１０は、各印刷領域１０の切欠部１０ａが対応するように束ね、カバー３を被せる。
カバー３は、図４に示すように、二枚分の印刷領域１０を所定幅の背帯部分をおいて連設させた形状からなり、印刷領域１０の切欠部１０ａと同様の切欠部３ａを備える。この背帯部分の幅は、例えば、１枚分の印刷用紙１から切り出せる２０枚分の印刷領域１０を束ねた厚さに対応する幅とすることができる。
【００２３】
そして、カバー３を被せた複数の印刷領域１０を、図５に示すように、切欠部３ａ及び切欠部１０周りにおいて輪ゴム４で縛る。これにより、印刷用紙１から切り出された複数の印刷領域１０を冊子１２とすることができる。この際、切欠部１０ａが、印刷領域１０の端部付近に設けられているため、切欠部１０ａが設けられていない面をめくって、印刷された画像を閲覧することができる。また、切欠部１０ａが印刷領域１０の端部のうち、ミシン目線２２側に設けられ、ミシン目線２２部分がカバー３の背帯部分によって覆われるため、ミシン目部分が外側から見えず見栄えが良い。
【００２４】
なお、本実施形態では、複数の印刷領域１０を冊子１２にする際、カバー３を被せたが、カバー３を被せず、ひとまとまりに束ねた複数の印刷領域１０の切欠部１０ａ周りを輪ゴム４で縛って冊子としてもよい。
【００２５】
また、本発明に係る印刷用紙の別の実施形態を図６及び図７に示す。
本実施形態においては、印刷領域１０は、既述した実施形態に係る印刷用紙１と同様、印刷用紙１の折り曲げ谷線２０ａないし折り曲げ山線２０ｂを挟んで対称な半分の面夫々において、縦に４列、横に２列、整列して設けられているが、横方向に並ぶ印刷領域１０同士が枠領域１１を挟まずに隣接している。
これにより、本実施形態に係る印刷用紙１によれば、横方向に並ぶ印刷領域１０同士の間に枠領域１１を設けた既述に係る印刷用紙１より枠領域１１を少なくして、印刷領域１０を広くとることができる。
【００２６】
次に、本実施形態に係る印刷用紙を用いたオンラインサービスに係るシステムの一例を説明する。
本システムは、本サービスを利用するユーザが所有するユーザ端末から、インターネットを介して所定の画像を受け付け、当該画像を本実施形態に係る印刷用紙に印刷した印刷物をユーザに発送するものである。
【００２７】
図８に示すように、本システムは、ユーザ端末５と印刷装置６とがインターネットを介して相互に通信可能に構成されている。
ユーザ端末５は、所望の画像が印刷された印刷物の作成を要求するユーザが所持する端末であり、例えば、いわゆるパーソナルコンピュータやカメラ機能付携帯電話機等である。
このユーザ端末５は、ユーザ端末５自体が備える記憶媒体、又は外部記憶媒体に記憶された画像情報や、作成された印刷物の送付先を示す宛先情報等を、作成要求と共に印刷装置６に対して送信する通信処理部５１を備える。
【００２８】
印刷装置６は、ユーザ端末５から、所定の画像を印刷した印刷物の作成及び送付要求を受け付けて、当該画像を印刷用紙に印刷して印刷物を作成する。この印刷装置６は、コンピュータにより構成され、CPU（Central Processing Unit）と、CPUが実行するコンピュータプログラム、このコンピュータプログラム等を記憶するRAM（Random Access Memory）やROM（Read Only Memory）などの内部メモリと、ハードディスクドライブなどの外部記憶装置により、レイアウト情報記憶部６１、広告情報記憶部６２、画像処理部６３、出力装置６４０を制御する出力制御部６４、用紙加工装置６５０を制御する用紙加工制御部６５、通信処理部６６を備える。
なお、出力装置６４０及び用紙加工装置６５０は、印刷装置６として一体的に構成されていてもよいし、印刷装置６とは別個の装置として構成されていてもよい。
【００２９】
レイアウト情報記憶部６１は、印刷用紙１のレイアウトに関する情報を記憶する記憶部である。レイアウト情報には、印刷用紙１のサイズ、画像を印刷する印刷領域１０のサイズと位置等の情報が含まれる。
【００３０】
広告情報記憶部６２は、印刷用紙１に印刷する広告に関する情報を記憶する記憶部である。広告情報は、商品やサービス等の情報であり、テキストや画像のほか、広告元の事業者等が運営するWebページにアクセス可能なURL情報を含んだ一元ないしは二次元のバーコードであってもよい。
【００３１】
画像処理部６３は、レイアウト情報処理部６２に記憶されているレイアウト情報を参照し、通信処理部６４によりユーザ端末５から受け付けた画像を当該レイアウト情報に応じて加工する処理を実行する。例えば、受け付けた画像が、印刷用紙１の印刷領域１０のサイズよりも大きい場合には、当該印刷領域１０のサイズに合わせて縮小し、逆に、印刷領域１０のサイズよりも小さい場合には、当該印刷領域１０のサイズに合わせて拡大することにより、受け付けた画像を印刷領域１０のサイズに対応させる。
なお、画像処理においては、JPEG（Joint Photographic Experts Group）、GIF（Graphic Interchange Format）等、任意の画像形式に対応することができる。
【００３２】
出力制御部６４は、出力装置６４０を制御して、通信処理部６６によりユーザ端末５から受け付けた画像、ないしは画像処理部６３により加工された画像、及び広告情報記憶部６２に記憶されている広告情報を印刷用紙に印刷する処理を実行する。
なお、出力装置６４０は、画像を印刷するための装置であって、印刷用紙１を搬送するローラ、熱転写するためのヒートロール、ドラム、トナー等から構成される。
また、印刷用紙１の表面１ａ及び裏面１ｂに印刷される画像は特に限定されるものではないが、本実施形態に係る印刷用紙を用いたオンラインサービスに係るシステムに好適な例として、表面１ａにはユーザ端末６を介してユーザから受け付けた画像が印刷され、裏面１ｂには広告情報記憶部６２に記憶されている広告が印刷される。これにより、画像や広告を印刷した印刷用紙１をユーザ宛に発送する際、表面１aの折り曲げ谷線２０ａに沿って印刷用紙１を折り畳むと、ユーザから受け付けた画像が外から見えなくなり、ユーザのプライバシーに配慮することができる。
【００３３】
用紙加工制御部６５は、用紙加工装置６５０を制御することにより、印刷用紙１を裁断して、切り抜き線２１やミシン目線２２を設けたり、折り曲げ谷線２０ａないし折り曲げ山線２０ｂが押し圧による折線として構成される場合には、押し圧を加えて折り曲げ谷線２０ａないし折り曲げ山線２０ｂを設けたりする。
なお、用紙加工装置６５０は、印刷用紙１を裁断するための刃や、印刷用紙１を搬送するローラ、押し圧による折線を設けるためのプレス等から構成される。
【００３４】
通信処理部６６は、所定のプロトコルに従って、インターネットを介して、ユーザ端末５から所定の画像と共に当該画像を印刷した印刷物の作成及び送付要求を受信する。
【００３５】
次に、本実施形態に係る印刷用紙を用いたオンラインサービスに係るシステムの一連の処理の流れについて、図９を参照して説明する。
まず、ユーザは、通信処理部５１により、印刷用紙１に印刷してもらいたい画像に係る画像情報と、当該画像が印刷された印刷用紙１の送付先である宛先情報とを、印刷装置１に対して送信する（Ｓ１０１）。
【００３６】
これに対して、印刷装置６は、通信処理部６６によりユーザ端末５から上記画像情報と宛先情報とを受信する（Ｓ１０２）。
そして、画像処理部６３により、レイアウト情報記憶部６１からレイアウト情報を抽出した上、当該レイアウト情報を参照して、上記受信した画像情報に係る画像の処理を行う（Ｓ１０３）。
当該画像処理は、例えば、上記受信した画像が、印刷用紙１の印刷領域１０のサイズよりも大きい場合には、当該印刷領域１０のサイズに合わせて縮小し、逆に、印刷領域１０のサイズよりも小さい場合には、当該印刷領域１０のサイズに合わせて拡大することにより、受信した画像を印刷領域１０のサイズに対応させるものである。
【００３７】
次に、広告情報を広告情報記憶部６２から呼び出した上（Ｓ１０４）、出力制御部６４により出力装置６４０を制御して、上記Ｓ１０３の処理により加工された画像と、上記Ｓ１０４の処理において広告情報記憶部６２から呼び出した広告情報とを印刷用紙１に出力する（Ｓ１０５）。
出力においては、表面１ａにユーザから受け付けた画像を出力し、裏面１ｂに広告を出力する。
【００３８】
そして、用紙加工制御部６５により用紙加工装置６５０を制御して、印刷用紙１を裁断し、折り曲げ谷線２０ａ、折り曲げ山線２０ｂ、切り抜き線２１、及びミシン目線２２を設ける（Ｓ１０６）。
【００３９】
印刷用紙１への出力が完了すると、印刷済みの印刷用紙１を上記Ｓ１０２の処理において受信した宛先情報に基づいてユーザの元に発送する（Ｓ１０７）。
ユーザは、こうして発送された印刷済みの印刷用紙１を受け取り、印刷領域１０を印刷用紙１から切り出して冊子１２にし、所望の画像の写真を楽しむことができる。
なお、用紙加工装置６５０による加工は、出力後に行うものとしているが、出力前に予め行うものとしてもよい。
【００４０】
ここで、印刷し終えた印刷用紙１をユーザに発送するのに好適な例を図１０により説明すると、印刷し終えた印刷用紙１を、表面１０ａの折り曲げ谷線２０ａに沿って谷折りしてから封筒７に封入する。この際、封筒７として、例えば、透明なビニール製の袋を用いるとよい。これにより、ユーザから受け付けた画像が外から見えなくしながらも、外から裏面１ｂに印刷された広告が見えるため、送付状態において広告に係る商品等の宣伝効果を発揮させることができる。
また、宛先情報は封筒７に印字したり、所定のラベルに印字して封筒７に貼り付けてもよいが、印刷用紙１の広告が印刷される裏面１ｂにある印刷領域１０の一つに印刷し、封筒７の当該宛先情報が印刷された印刷領域１０に対応する箇所に透明な宛先窓を設けるようにしてもよい。これにより、別途宛先情報をラベルや封筒に印刷する手間を省くことができる。
【００４１】
以上のようなオンラインサービスにおいは、例えば、広告情報を提供する事業者の出資により、ユーザに対して無料で本サービスを提供するものとしてもよい。これにより、ユーザは、大量の画像であっても無料で印刷物を入手することができる。
【００４２】
また、本システムに係るオンラインサービスにおいては、ユーザがユーザ端末５により印刷装置６に対して能動的に画像の印刷要求をするものとしているが、予めユーザの宛先情報をもっておき、ユーザ端末５から随時画像を受け付けて、受け付けた画像数が所定の枚数に達する毎に、画像を印刷用紙１に印刷してユーザに送付するようにしてもよい。これにより、ユーザが意識しなくとも、画像が印刷された印刷物がユーザに送付されると共に、印刷装置６を運営する側から能動的に広告情報をユーザに送付していくことができる。
【００４３】
また、本システムに係るオンラインサービスを、本サービスを運営すると共に印刷装置６を管理する事業者が運営するウェブログ等のウェブサイトと連係させてもよい。例えば、本サービスの運営者が管理するウェブログを利用するユーザが、当該ウェブログに画像をアップロードしていった場合に、当該画像の数をカウントし、所定数になったときに、当該画像をまとめて印刷用紙１に印刷し、予め登録しておいたユーザの宛先情報に基づき、当該ユーザに対して印刷物を送付するようにしてもよい。これにより、ユーザにとってはウェブログをする楽しみが増えると共に、このようなユーザに対して広告を随時送付することができる。
【００４４】
また、印刷用紙１に印刷する広告については、予め、ユーザの属性等を含む情報を印刷装置１側で管理すると共に、属性と広告情報とを関連付けて記憶し、印刷を要求するユーザに応じた広告を印刷するようにしてもよいし、ユーザ側ないしは印刷装置１を管理する事業者側で印刷する広告を選択可能としてもよい。これにより、ユーザに応じた広告情報を届けることができるので、高い宣伝効果が得られる。
【００４５】
また、広告情報としてカタログ情報を印刷してもよく、この場合、例えば、広告に係る商品等を購入可能なＷｅｂサイトにアクセスするためのＵＲＬ等の情報を二次元バーコードとして印刷しておくこともできる。このような二次元バーコードが印刷された印刷物を受け取ったユーザは、印刷用紙１に印刷されている広告情報から、気に入った商品を見つけた場合、当該商品と対応付けて印刷されている二次元バーコードをバーコード読取可能な機能を備えたユーザ端末５により読み込み、当該商品購入手続可能なＷｅｂサイトにアクセスして、商品を購入することができる。これにより、広告が商品販売にまでつながり、効果的な広告とすることができる。
【００４６】
続いて、本実施形態に係る印刷用紙を用いたオンラインサービスに係るシステムの別の一例を説明する。
本システムは、本サービスを利用するユーザがから受け付けた画像について、所定の閲覧権限の下、第三者からの閲覧請求に応じて閲覧させたり、印刷用紙に印刷して当該第三者に発送するものである。
【００４７】
図１１に示すように、本システムは、ユーザ端末５と印刷装置６とがインターネットを介して相互に通信可能に構成されている。
ユーザ端末５は、所望の画像が印刷された印刷物の作成を要求するユーザ、ないしは印刷装置６に記憶されている所定の画像の閲覧要求を行う閲覧者が所持する端末であり、例えば、いわゆるパーソナルコンピュータやカメラ機能付携帯電話機等である。
このユーザ端末５は、ユーザ端末５自体が備える記憶媒体、又は外部記憶媒体に記憶された画像情報や、作成された印刷物の送付先を示す宛先情報等を、作成要求や閲覧要求と共に印刷装置６に対して送信する通信処理部５１を備える。
【００４８】
印刷装置６は、ユーザ端末５から、所定の画像を印刷した印刷物の作成及び送付要求、ないし閲覧要求を受け付けて、当該画像を印刷用紙に印刷して印刷物を作成したり、所定の画像が閲覧可能なＷｅｂページを提供したりする。この印刷装置６は、コンピュータにより構成され、CPU（Central Processing Unit）と、CPUが実行するコンピュータプログラム、このコンピュータプログラム等を記憶するRAM（Random Access Memory）やROM（Read Only Memory）などの内部メモリと、ハードディスクドライブなどの外部記憶装置により、レイアウト情報記憶部６１、広告情報記憶部６２、画像処理部６３、出力装置６４０を制御する出力制御部６４、用紙加工装置６５０を制御する用紙加工制御部６５、通信処理部６６、ユーザ情報記憶部６７を備える。
なお、レイアウト情報記憶部６１、広告情報記憶部６２、画像処理部６３、出力装置６４０を制御する出力制御部６４、用紙加工装置６５０を制御する用紙加工制御部６５、通信処理部６６は、既述したシステムに係るものと同様の機能を備える。
【００４９】
画像情報記憶部６７は、ユーザから受け付けた画像を記憶する記憶部であると共に、画像を閲覧可能なユーザの権限に関する情報を記憶することができる記憶部である。この画像情報記憶６７には、図１２に示すように、ユーザＩＤ８１、画像情報８２を記憶することができ、更に、画像情報記憶部８２には、画像データ８２ａ、権限者ＩＤ８２ｂを記憶することができる。
ユーザＩＤ８１は、ユーザを識別可能な識別情報であり、ユーザ毎に発行されるものである。
画像データ８２ａには、ＪＰＥＧ、ＧＩＦ等の各種の形式の画像データを記憶させることができる。
権限者ＩＤ８２ｂには、対応付けられている画像データ８２ａを閲覧可能なユーザＩＤを記憶させることができる。所定のユーザＩＤを有するユーザが、特定の画像データ８２ａの閲覧要求を行った場合、当該ユーザＩＤが権限者ＩＤ８２ｂとして、当該特定の画像データ８２ｂと関連付けられている場合、当該ユーザに当該画像を閲覧する権限が与えられていることを示している。
所定の画像データ８２ａに対する権限ＩＤ８２ｂに係る情報は、例えば、画像データ８２ａを登録したユーザから、ユーザ端末５を介して受信し、登録することができる。
【００５０】
続いて、本システムに係るサービスにおいて、所定の画像の閲覧要求を受け付けた場合の処理の流れを図１３により説明する。
まず、特定のユーザＩＤに係るユーザが有する画像の閲覧を要求する場合、閲覧者は、自己のユーザ端末５を介して、通信処理部５１により、自己のユーザＩＤ、及び上記特定のユーザＩＤと共に、閲覧要求を印刷装置６に対して送信する（Ｓ２０１）。
【００５１】
印刷装置６は、上記送信された、閲覧要求をした者のユーザＩＤ、及び閲覧要求に係るユーザＩＤと共に、閲覧要求を受信する（Ｓ２０２）。
そして、閲覧要求をした者のユーザＩＤに基づき、画像情報記憶部６７を参照し（Ｓ２０３）、閲覧要求対象のユーザＩＤに係る画像データのうち、権限が与えられている画像データを抽出する（Ｓ２０４）。
【００５２】
抽出した画像は、例えば、図１４に示すＷｅｂページに構成してユーザ端末５に送信される（Ｓ２０５）。
図１４に示すＷｅｂページは、閲覧可能な画像９１、印刷要求する画像を選択するためのチェックボックス９２、印刷した印刷物を送付する宛先を入力するための宛先入力欄９３、入力した内容を印刷装置６に対して送信するための「送信」ボタン９４、処理の続行を中断するための「キャンセル」ボタン９５から構成される。
【００５３】
上記Ｗｅｂページにより、閲覧要求を行ったユーザは、所望のユーザＩＤと関連付けられている画像のうち、閲覧可能な画像を見ることができる。
そして、所望の画像のチェックボックス９２にチェックを入れると共に、当該画像を印刷した印刷物の送付先となる宛先情報を宛先入力欄９３に入力し、「送信」ボタン９４を押下することで、チェックした画像を印刷用紙１に印刷した印刷物の送付要求を印刷装置１に対して送信する（Ｓ２０６）。
【００５４】
これに対して、印刷装置６は、通信処理部６６により、宛先情報及び画像の選択情報を受信する（Ｓ２０７）。そして、当該選択された画像を画像情報記憶部６７から抽出する（Ｓ２０８）。
印刷装置６は、続けてＳ１０３以降の処理を実行し、印刷済みの印刷用紙１を上記Ｓ２０７の処理において受信した宛先情報に基づいてユーザの元に発送する。
これにより、ユーザは、他のユーザの画像を閲覧することができると共に、当該画像が印刷された印刷物を得ることができる。また、画像を印刷装置６に登録しているユーザは、自分の友達等、特定のユーザを対象として画像を閲覧可能とすることができ、わざわざ画像データの交換をしなくても、実質的に画像データを印刷した印刷物の受け渡しを可能とすることができる。
なお、本システムに係るサービスにおいては、閲覧者から画像の印刷要求を受け付けたときに、印刷代を当該閲覧者に対して課金するようにしてもよい。
また、宛先情報をいちいち入力するまでもなく、ユーザＩＤと関連付けて当該ユーザＩＤに係る宛先情報を記憶しておくようにしておいてもよい。
【図面の簡単な説明】
【００５５】
【図１】本発明の実施形態に係る印刷用紙を示す平面図であり、（ａ）は表面を、（ｂ）は裏面を示している。
【図２】本実施形態に係る印刷用紙を示す斜視図である。
【図３】本実施形態に係る印刷用紙から切り離した印刷領域を示す平面図であり、（ａ）は表面を、（ｂ）は裏面を示している。
【図４】本実施形態に係る印刷用紙から切り離した印刷領域を結束し、カバーで綴じる状態を示す斜視図である。
【図５】本実施形態に係る印刷用紙から切り離した印刷領域を結束し、カバーで綴じた冊子を示す斜視図である。
【図６】本発明の別の実施形態に係る印刷用紙を示す平面図であり、（ａ）は表面を、（ｂ）は裏面を示している。
【図７】本発明の別の実施形態に係る印刷用紙を示す斜視図である。
【図８】本実施形態に係る印刷用紙を用いたオンラインサービスに係るシステムが備える機能を示したブロック図である。
【図９】本実施形態に係る印刷用紙を用いたオンラインサービスに係るシステムの一連の処理の流れを示したシーケンス図である。
【図１０】本実施形態に係る印刷用紙を用いたオンラインサービスに係るシステムにおいて、印刷した印刷用紙を封筒に入れる場合を示した模式図である。
【図１１】本実施形態に係る印刷用紙を用いた別のオンラインサービスに係るシステムが備える機能を示したブロック図である。
【図１２】本実施形態に係る印刷用紙を用いたオンラインサービスに係るシステムにおいて、画像情報記憶部に記憶されるデータの一例を示した図である。
【図１３】本実施形態に係る印刷用紙を用いたオンラインサービスに係るシステムの一連の処理の流れを示したシーケンス図である。
【図１４】本実施形態に係る印刷用紙を用いたオンラインサービスに係るシステムにおいて、画像を閲覧すると共に印刷要求を行うためのＷｅｂページの一例を示した図である。
【符号の説明】
【００５６】
１        印刷用紙
１ａ      表面
１ｂ      裏面
１０      印刷領域
１０ａ    切欠部
１１      枠領域
１２      冊子
２０ａ    折り曲げ谷線
２０ｂ    折り曲げ山線
２１      切り抜き線
２２      ミシン目線
３        カバー
３ａ      切欠部
４        輪ゴム
５        ユーザ端末
６        印刷装置
６１      レイアウト情報記憶部
６２      広告情報記憶部
６３      画像処理部
６４      出力制御部
６４０    出力装置
６５      用紙加工制御部
６５０    用紙加工装置
６６      通信処理部
６７      画像情報記憶部
７        封筒
【要約】
【課題】本発明は、複数の印刷領域を有し、各印刷領域を容易に切り離して冊子とすることができる印刷用紙を提供することを目的とする。
【解決手段】本発明に係る印刷用紙１は、所定の印刷手段により画像が印刷される印刷用紙であって、この印刷用紙１は、当該印刷用紙１から切り出し可能に区画された複数の同一形状からなる印刷領域１０と、この印刷領域１０を囲う枠領域１１とからなり、上記印刷領域１０の周縁は、枠領域１１と容易に切り取り可能に連設されたミシン目線２２と、印刷用紙１から切り抜かれた切り抜き線２１とからなることを特徴とする。そして、印刷用紙１から切り離した複数の印刷領域１０は、所定の位置に設けられた切欠部１０ａにおいて輪ゴム等で結束させることができ、これにより冊子とすることができる。
【選択図】図２【図１】
0004171837.tif 000002
【図２】
0004171837.tif 000003
【図３】
0004171837.tif 000004
【図４】
0004171837.tif 000005
【図５】
0004171837.tif 000006
【図６】
0004171837.tif 000007
【図７】
0004171837.tif 000008
【図８】
0004171837.tif 000009
【図９】
0004171837.tif 000010
【図１０】
0004171837.tif 000011
【図１１】
0004171837.tif 000012
【図１２】
0004171837.tif 000013
【図１３】
0004171837.tif 000014
【図１４】
0004171837.tif 000015